(57)【特許請求の範囲】
【請求項１】
ハウジング内に配設され外部の空気を吸い込ませて吹き出させるファンを駆動するファン駆動装置と、ハウジング内に吸い込まれた空気を浄化する空気浄化手段と、空気の汚れに応じた検知出力が得られる汚れ検知部と、検知エリア内の人の動きを検知する人感センサと、人感センサにより人の動きが検知されなくなって規定時間が経過した後に汚れ検知部から検知出力が入力されると所定の遅延時間だけ遅れてファンが駆動されるようにファン駆動装置を制御する制御手段とを備えてなることを特徴とする空気清浄器。
【請求項２】
ファンは複数段階で回転速度を切り換え可能であることを特徴とする請求項１記載の空気清浄器。
【請求項３】
ファン駆動装置はファンの回転速度を少なくとも低速モード、中速モード、高速モードの３段階で切り換え可能であって、制御手段は上記遅延時間だけ遅れてファン駆動装置を制御するときにファンが低速モードで駆動されるようにファン駆動装置を制御することを特徴とする請求項２記載の空気清浄器。
【請求項４】
制御手段は、上記遅延時間だけ遅れてファンが低速モードで駆動されるようにファン駆動装置を制御した後、該低速モードが一定時間維持されるようにファン駆動装置を制御することを特徴とする請求項１記載の空気清浄器。
【請求項５】
ファンの回転速度を少なくとも低速モード、中速モード、高速モードの３段階で切り換えて設定するための操作部を備え、制御手段は、操作部により低速モード以外のモードが設定されている場合に上記遅延時間だけ遅れてファン駆動装置を制御するときにファンが一定時間だけ低速モードで駆動されるようにファン駆動装置を制御することを特徴とする請求項３記載の空気清浄器。
【請求項６】
汚れ検知部は、ダストを検知するダストセンサと臭い成分ガスを検知するガスセンサとの少なくとも１つからなる汚れセンサと、汚れセンサの検知出力に基づいて空気の汚れに応じた検知出力が得られる信号処理回路とからなることを特徴とする請求項１ないし請求項５のいずれかに記載の空気清浄器。
【請求項７】
ハウジング内に配設され外部の空気を吸い込ませて吹き出させるファンを駆動するファン駆動装置と、ハウジング内に吸い込まれた空気を浄化する空気浄化手段と、空気の汚れに応じた検知出力が得られる汚れ検知部と、周囲の明るさの基準値に対する明／暗に応じた２値出力が得られる明暗センサと、明暗センサの出力が暗レベルになって規定時間が経過した後であってファンが停止した状態で汚れ検知部から検知出力が入力されると所定の遅延時間だけ遅れてファンが駆動されるようにファン駆動装置を制御する制御手段とを備えてなることを特徴とする空気清浄器。
【請求項８】
ファンは複数段階で回転速度を切り換え可能であることを特徴とする請求項７記載の空気清浄器。
【請求項９】
ファン駆動装置はファンの回転速度を少なくとも低速モード、中速モード、高速モードの３段階で切り換え可能であって、制御手段は上記遅延時間だけ遅れてファン駆動装置を制御するときにファンが低速モードで駆動されるようにファン駆動装置を制御することを特徴とする請求項８記載の空気清浄器。
【請求項１０】
制御手段は、上記遅延時間だけ遅れてファンが低速モードで駆動されるようにファン駆動装置を制御した後、該低速モードが一定時間維持されるようにファン駆動装置を制御することを特徴とする請求項９記載の空気清浄器。
【請求項１１】
ファンの回転速度を少なくとも低速モード、中速モード、高速モードの３段階で切り換えて設定するための操作部を備え、制御手段は、操作部により低速モード以外のモードが設定されている場合に上記遅延時間だけ遅れてファン駆動装置を制御するときにファンが一定時間だけ低速モードで駆動されるようにファン駆動装置を制御することを特徴とする請求項９記載の空気清浄器。
【発明の詳細な説明】
【０００１】
【発明の属する技術分野】
本発明は、空気を清浄化する空気清浄器に関するものである。
【０００２】
【従来の技術】
従来より、空気の汚れを検知するためにハウスダスト（塵、埃など）や花粉粒子などのダスト（粒子）を検知するダストセンサを具備し、ハウジング内に配設されたファンの状態をダストセンサの検知出力に基づいて切り換える自動モードを選択できるようにした空気清浄器が提供されている。この種の自動モードとしては、例えば、ダストセンサの検知出力と３つの閾値との大小関係に応じてファンの回転速度を低速、中速、高速の３段階的で切り換えるようなモードがある。また、ダストセンサの検知出力と３つの閾値との大小関係に応じてファンの回転速度を低速、中速、高速の３段階的で切り換える自動モードと、ダストセンサの検知出力が最小の閾値を超えるとダスト検知出力の大きさにかかわらずファンの回転速度を低速として駆動させファンの回転速度が高速や中速へ移行しないようにした自動モードとを使用者が選択できるようにした空気清浄器も提供されている。また、ダストセンサの他にタバコの煙などの臭いガス成分を検知するガスセンサを具備し、ガスセンサの検知出力に基づいてファンの状態を切り換える自動モードを選択できるようにしたものが提案されている。
【０００３】
【発明が解決しようとする課題】
上述のような空気清浄器は、例えば寝室や書斎などの静けさが必要な部屋で使用される場合には自動モードで使用されることが多い。ところで、室内における粉塵は人の活動中は空気中に浮遊しているが、人の活動が停止すると空気の動きが減少し浮遊していた粉塵が次第に落下する（沈降現象が起きる）。したがって、例えば寝室に設置した空気清浄器においてファンの回転速度を低速、中速、高速の３段階的で切り換える自動モードが選択されている場合、就寝前にダストセンサによる検知レベルが最小の閾値よりも小さくてファンが停止していても、就寝後に次第に落下してきた粉塵（このような粉塵は一過性の汚れである）が原因でダストセンサによる検知レベルが最小の閾値を超えてファンが低速で運転されてしまうことがあった。さらに、ファンが運転されることにより周囲の空気が取りこまれて検知レベルが上昇しファンが低速から中速へ切り換わってしまい、ファンの運転音で目を覚ましてしまう恐れがあった。
【０００４】
また、例えば書斎などでも人が着座して動きが少なくなった後に一過性の汚れが原因でファンが低速で運転されてしまうことがあった。さらに、ダストセンサの検知出力に上記閾値を超えるような一過性のノイズが発生した場合にもファンが運転開始されてしまうという不具合があった。
【０００５】
本発明は上記事由に鑑みて為されたものであり、その目的は、一過性の汚れやノイズが原因でファンが運転されるのを防止できる空気清浄器を提供することにある。
【０００６】
【課題を解決するための手段】
請求項１の発明は、上記目的を達成するために、ハウジング内に配設され外部の空気を吸い込ませて吹き出させるファンを駆動するファン駆動装置と、ハウジング内に吸い込まれた空気を浄化する空気浄化手段と、空気の汚れに応じた検知出力が得られる汚れ検知部と、検知エリア内の人の動きを検知する人感センサと、人感センサにより人の動きが検知されなくなって規定時間が経過した後に汚れ検知部から検知出力が入力されると所定の遅延時間だけ遅れてファンが駆動されるようにファン駆動装置を制御する制御手段とを備えてなることを特徴とするものであり、人感センサによって人の動きが検知されないような状態において、ファンを駆動する必要のない一過性の汚れやノイズによる検知出力が汚れ検知部から発生した場合に直ちにファンが駆動されるのを防止することができる。
【０００７】
請求項２の発明は、請求項１の発明において、ファンは複数段階で回転速度を切り換え可能であることを特徴とする。
【０００８】
請求項３の発明は、請求項２の発明において、ファン駆動装置はファンの回転速度を少なくとも低速モード、中速モード、高速モードの３段階で切り換え可能であって、制御手段は上記遅延時間だけ遅れてファン駆動装置を制御するときにファンが低速モードで駆動されるようにファン駆動装置を制御するので、寝室や書斎などの静けさが必要な部屋で使用している状態において、ファンを駆動する必要のない一過性の汚れやノイズによる検知出力が汚れ検知部から発生した場合に直ちにファンが駆動されるのを防止することができ、静けさを保つことができる。
【０００９】
請求項４の発明は、請求項３の発明において、制御手段は、上記遅延時間だけ遅れてファンが低速モードで駆動されるようにファン駆動装置を制御した後、該低速モードが一定時間維持されるようにファン駆動装置を制御するので、より確実に静けさを保つことができる。
【００１０】
請求項５の発明は、請求項３の発明において、ファンの回転速度を少なくとも低速モード、中速モード、高速モードの３段階で切り換えて設定するための操作部を備え、制御手段は、操作部により低速モード以外のモードが設定されている場合に上記遅延時間だけ遅れてファン駆動装置を制御するときにファンが一定時間だけ低速モードで駆動されるようにファン駆動装置を制御するので、より確実に静けさを保つことができる。
【００１１】
請求項６の発明は、請求項１ないし請求項５の発明において、汚れ検知部は、ダストを検知するダストセンサと臭い成分ガスを検知するガスセンサとの少なくとも１つからなる汚れセンサと、汚れセンサの検知出力に基づいて空気の汚れに応じた検知出力が得られる信号処理回路とからなることを特徴とする。
【００１２】
請求項７の発明は、ハウジング内に配設され外部の空気を吸い込ませて吹き出させるファンを駆動するファン駆動装置と、ハウジング内に吸い込まれた空気を浄化する空気浄化手段と、空気の汚れに応じた検知出力が得られる汚れ検知部と、周囲の明るさの基準値に対する明／暗に応じた２値出力が得られる明暗センサと、明暗センサの出力が暗レベルになって規定時間が経過した後であってファンが停止した状態で汚れ検知部から検知出力が入力されると所定の遅延時間だけ遅れてファンが駆動されるようにファン駆動装置を制御する制御手段とを備えてなることを特徴とするものであり、周囲が暗くなった後に、ファンを駆動する必要のない一過性の汚れやノイズによる検知出力が汚れ検知部から発生した場合に直ちにファンが駆動されるのを防止することができる。
【００１３】
請求項８の発明は、請求項７の発明において、ファンは複数段階で回転速度を切り換え可能であることを特徴とする。
【００１４】
請求項９の発明は、請求項８の発明において、ファン駆動装置はファンの回転速度を少なくとも低速モード、中速モード、高速モードの３段階で切り換え可能であって、制御手段は上記遅延時間だけ遅れてファン駆動装置を制御するときにファンが低速モードで駆動されるようにファン駆動装置を制御するので、寝室や書斎などの静けさが必要な部屋で使用している状態において、ファンを駆動する必要のない一過性の汚れやノイズによる検知出力が汚れ検知部から発生した場合に直ちにファンが駆動されるのを防止することができ、静けさを保つことができる。
【００１５】
請求項１０の発明は、請求項９の発明において、制御手段は、上記遅延時間だけ遅れてファンが低速モードで駆動されるようにファン駆動装置を制御した後、該低速モードが一定時間維持されるようにファン駆動装置を制御するので、より確実に静けさを保つことができる。
【００１６】
請求項１１の発明は、請求項９の発明において、ファンの回転速度を少なくとも低速モード、中速モード、高速モードの３段階で切り換えて設定するための操作部を備え、制御手段は、操作部により低速モード以外のモードが設定されている場合に上記遅延時間だけ遅れてファン駆動装置を制御するときにファンが一定時間だけ低速モードで駆動されるようにファン駆動装置を制御するので、より確実に静けさを保つことができる。
【００１７】
【発明の実施の形態】
（実施形態１）
本実施形態の空気清浄器は、図１に示すように、運転スイッチＳＷにて設定された運転モード（後述の自動モード、低速モード、中速モード、高速モード）でハウジング２０（図６ないし図９参照）内に配設されたシロッコファンよりなる２つのファンＦ（図６ないし図９参照）を駆動するファン駆動装置たるモータＭと、モータＭの動作を制御するモータ制御回路１と、空気の汚れに応じた検知出力が得られる汚れ検知部２と、ハウジング２０前方に形成された検知エリア内の人の動きを検知する人感センサ４と、人感センサ４の出力信号と汚れ検知部２の出力信号ＯＨ，ＯＭ，ＯＬとに基づいてモータ制御回路１を制御する制御回路５とを備えている。ここにおいて、汚れ検知部２は、ハウスダストや花粉などのダスト（粒子）を検知するダストセンサ２ａと、タバコの煙などの臭い成分ガスを検知するガスセンサ２ｂと、各センサ２ａ，２ｂからの入力に基づいて空気の汚れに応じた出力信号ＯＨ，ＯＭ，ＯＬを出力する信号処理回路３とで構成されている。また、制御回路５は、人感センサ４による人体検知出力がなくなって規定時間Ｔ１が経過した後に汚れ検知部２から検知出力が入力されると所定の遅延時間Ｔ２だけ遅れてファンＦが駆動されるようにモータ制御回路１を制御するように構成されている。また、モータ制御回路１は、汚れ検知部２の出力信号ＯＨ，ＯＭ，ＯＬ、制御回路５の出力信号に基づいてモータＭの動作を制御する機能を有している。
【００１８】
ところで、上述の回路構成を有する空気清浄器は、図６ないし図９に示すように、ハウジング２０の前面部にグリル２７を着脱自在に取り付けて外殻を構成してあり、ハウジング２０内に上述の２つのファンＦやモータＭなどが収納されており、ハウジング２０の一側部および一側面部の後部にそれぞれファンＦの回転によって空気を吸い込むための空気吸込部２８ａ，２８ｂが設けられ、ハウジング２０の他側面部にファンＦの回転によって空気を吹き出すための空気吹出部１９が設けてある。また、ハウジング２０内には、空気吸込部２８ａ，２８ｂから吸い込まれたハウスダスト（例えば、塵、埃）や花粉などを帯電させたり臭い成分ガスを無臭成分に分解させたりするためのプラズマを発生する放電極ブロック２３が収納され、さらに放電極ブロック２３の下流側（つまり、放電極ブロック２３とファンＦとの間）に、放電極ブロック２３で帯電されたハウスダストや花粉を吸着したり臭い成分ガスを吸着したりするフィルタブロック２４が収納されている。なお、フィルタブロック２４は、例えば、帯電したハウスダストや花粉を吸着するための集塵フィルタ（例えば、いわゆるＨＥＰＡフィルタ）と臭い成分ガスを吸着する活性炭とで構成してもよいし、集塵フィルタと脱臭フィルタとで構成してもよいし、これ以外の構成であってもよい。
【００１９】
したがって、本実施形態の空気清浄器では、ファンＦを回転させることによって、空気吸込部２８ａ，２８ｂから空気が吸い込まれ、放電極ブロック２３およびフィルタブロック２４を通過して清浄化された空気が空気吹出部１９から吹き出されるようになっている。なお、ハウジング２０の前面側には、ダストセンサ２ａへの空気導入部４１が設けてあるが、この空気導入部４１は、空気吸込部２８ａに吸引される空気に乗ったハウスダストや花粉などを検知しやすい位置に設けることが望ましい。つまり、空気導入部４１は、空気吸込部２８ａ若しくは空気吸込部２８ｂの近傍に設けることが望ましい。また、本実施形態では、放電極ブロック２３とフィルタブロック２４とで、ハウジング２０内に吸い込まれた空気を清浄化する空気浄化手段を構成している。また、モータ制御回路１と制御回路５とで制御手段を構成している。
【００２０】
ところで、ハウジング２０内には、図９に示すように、運転スイッチＳＷ、人感センサ４、ガスセンサ２ｂ、後述の動作表示用の発光ダイオードＬＥＤ１〜ＬＥＤ４などを実装した回路基板４０も納装されており、図６に示すように、グリル１７の前面には運転スイッチＳＷの操作部１２や上記発光ダイオードＬＥＤ１〜ＬＥＤ４の透光窓ＬＥ１〜ＬＥ４などが設けられた操作パネル２６が配設されている。なお、本実施形態の空気清浄器には、ダストセンサ２ａの出力信号に基づいた空気の汚れ度合い（１ｍ３の空気中の粉塵の量（ｍｇ））が数字でデジタル表示されるデジタル表示部２２（図９参照）とガスセンサ２ｂの出力信号に基づいた臭いレベルがレベル表示されるレベル表示部２４（図９参照）とを有する汚れ表示体５０を備えている。ここに、汚れ表示体５０は、各表示部２２，２４近傍に各表示部２２，２４それぞれの表示内容を表記した銘板が設けられている。また、汚れ表示体５０は、表示面を含む面内で回動自在となっている。
【００２１】
なお、ハウジング２０にはスタンド２１が取り付けられているが、このスタンド２１は図６（ｂ）におけるハウジング２０の下面側および同図におけるハウジング２０の左側面側それぞれに対して着脱自在であって、図６ないし図９に示すようにスタンド２１を取り付けることでハウジング２０の長手方向を上下方向とした縦姿勢で使用してもよいし、スタンド２１の取付位置を代えてハウジング２０の長手方向を左右方向とした横姿勢で使用してもよい。横姿勢で使用する場合には、汚れ表示体５０を９０度回転させ（なお、図９は汚れ表示体５０を図６の状態から９０度回転させた状態を示している）、銘板などを貼り直せばよい。
【００２２】
以下、汚れ検知部２、ファン制御回路１、制御回路５についてそれぞれ具体的に説明する。
【００２３】
汚れ検知部２は、図２に示すような回路構成を有し、信号処理回路３は、各センサ２ａ，２ｂの出力信号に基づいて出力信号ＯＨ，ＯＭ，ＯＬが変化するようになっている。すなわち、信号処理回路３は、ダストセンサ２ａの出力信号と抵抗Ｒ１〜Ｒ４の直列回路よりなる第１の閾値設定部３１でそれぞれに設定された閾値とを比較するコンパレータＣＰ１〜ＣＰ３を備えている。また、信号処理回路３は、ガスセンサ２ｂの出力信号と抵抗Ｒ６〜Ｒ９の直列回路よりなる第２の閾値設定部３２でそれぞれに設定された閾値とを比較するコンパレータＣＰ４〜ＣＰ６を備えている。さらに、信号処理回路３は、ＡＮＤ素子ＡＮ７〜ＡＮ１４、ＯＲ素子Ｏｒ１５〜１７、ＡＮＤ素子ＡＮ１８，ＡＮ１９を備えており、ＯＲ素子Ｏｒ１５の出力信号が上述の出力信号ＯＨ、ＡＮＤ素子ＡＮ１８の出力信号が上述の出力信号ＯＭ、ＡＮＤ素子ＡＮ１９の出力信号が上述の出力信号ＯＬに対応している。なお、汚れ検知部２は、ダストセンサ２ａとガスセンサ２ｂとのうちより上位の閾値を越えたセンサの出力信号に基づいて出力信号ＯＨ、ＯＭ，ＯＬが決まるように構成されている。
【００２４】
信号処理回路３の動作について説明する。例えば、ダストセンサ２ａからコンパレータＣＰ２の閾値よりも大きくコンパレータＣＰ１の閾値よりも小さなレベルの出力信号が出力されたとすると、コンパレータＣＰ２，ＣＰ３それぞれの出力信号が”Ｈ”レベル、コンパレータＣＰ１の出力信号が”Ｌ”レベルになる。すると、ＡＮＤ素子ＡＮ７の出力信号が”Ｌ”レベルになるとともにＡＮＤ素子ＡＮ８の出力信号が”Ｈ”レベルになる。このＡＮＤ素子ＡＮ７，ＡＮ８の出力信号によってＡＮＤ素子Ａ１１の出力信号が”Ｈ”レベルになるとともにＡＮＤ素子ＡＮ１２の出力信号が”Ｌ”レベルになる。
【００２５】
一方、例えば、ガスセンサ２ｂからコンパレータＣＰ６の閾値よりも大きくコンパレータＣＰ５の閾値よりも小さなレベルの出力信号が出力されたとすると、コンパレータＣＰ６の出力信号が”Ｈ”レベル、コンパレータＣＰ４，ＣＰ５の出力信号がそれぞれ”Ｌ”レベルになる。すると、ＡＮＤ素子ＡＮ９，ＡＮ１０それぞれの出力信号が”Ｌ”レベルになる。このＡＮＤ素子ＡＮ９，ＡＮ１０の出力信号によってＡＮＤ素子Ａ１３の出力信号が”Ｌ”レベルになるとともにＡＮＤ素子ＡＮ１４の出力信号が”Ｈ”レベルになる。
【００２６】
したがって、ＯＲ素子Ｏｒ１５，Ｏｒ１６，Ｏｒ１７の出力信号はそれぞれ、”Ｌ”レベル，”Ｈ”レベル，”Ｈ”レベルとなる。そして、ＡＮＤ素子ＡＮ１８の出力信号が”Ｈ”レベルになるとともにＡＮＤ素子ＡＮ１９の出力信号が”Ｌ”レベルになる。結果として、ダストセンサ２ａからコンパレータＣＰ２の閾値（３つの閾値のうちの２番目に大きな閾値）よりも大きくコンパレータＣＰ１の閾値（３つの閾値のうち最大の閾値）よりも小さなレベルの出力信号が出力され且つガスセンサ２ｂからコンパレータＣＰ６の閾値（３つの閾値のうちの最小の閾値）よりも大きくコンパレータＣＰ５の閾値（３つの閾値のうちの２番目に大きな閾値）よりも小さなレベルの出力信号が出力されたとすると、汚れ検知部２の出力信号ＯＨ，ＯＭ，ＯＬはそれぞれ”Ｌ”レベル，”Ｈ”レベル，”Ｌ”レベルとなる。なお、本実施形態では、ダストセンサ２ａとガスセンサ２ｂとで汚れセンサを構成しているが、汚れセンサをダストセンサ２ａのみで構成する場合には、汚れ検知部２の信号処理回路３の出力信号ＯＨ，ＯＭ，ＯＬはそれぞれ”Ｌ”レベル，”Ｈ”レベル，”Ｌ”レベルとなってファンＦが中速で回転され、汚れセンサをガスセンサ２ｂのみで構成する場合には、汚れ検知部２の信号処理回路３の出力信号ＯＨ，ＯＭ，ＯＬはそれぞれ”Ｌ”レベル，”Ｌ”レベル，”Ｈ”レベルとなってファンＦが低速で回転される。
【００２７】
次に、モータ制御回路１について説明する。
【００２８】
モータ制御回路１には、図３に示すように、信号処理回路３の出力信号ＯＨ，ＯＭ，ＯＬまたは制御回路５の出力信号に応じてファンＦの運転状態（停止、低速、中速、高速）が切り換わる自動モードと、ファンＦを低速で回転させる低速モードと、ファンＦを中速で回転させる中速モードと、ファンＦを高速で回転させる高速モードとを順次切り換えて選択する上述の運転スイッチＳＷが接続されている。すなわち、モータ制御回路１には、運転スイッチＳＷの操作によって出力信号ＡＵＴＯ，ＬＯＷ，ＭＩＤ，ＨＩＧＨ，ＯＦＦが切り換わるカウンタ１１が設けられている。ここに、カウンタ１１の出力信号ＡＵＴＯ，ＬＯＷ，ＭＩＤ，ＨＩＧＨ，ＯＦＦは、運転スイッチＳＷが操作される度に、ＡＵＴＯ→ＬＯＷ→ＭＩＤ→ＨＩＧＨ→ＯＦＦ→ＡＵＴＯ→…の順で１つの出力信号のみが”Ｈ”レベルになる。さらに、モータ制御回路１には、一方の入力端にＡＵＴＯ信号が入力され他方の入力端にそれぞれ上述の汚れ検知部２の出力信号ＯＬ，ＯＭ，ＯＨが入力されるＡＮＤ素子ＡＮ３０，ＡＮ３１，ＡＮ３２と、上述の動作表示用の発光ダイオードＬＥＤ１，ＬＥＤ２，ＬＥＤ３，ＬＥＤ４と、それぞれモータＭと商用電源よりなる交流電源Ｖｓとの間に挿入されるトライアックＴＲＣ１，ＴＲＣ２，ＴＲＣ３と、各トライアックＴＲＣ１，ＴＲＣ２，ＴＲＣ３それぞれをオンオフするフォトカプラＰＣ１，ＰＣ２，ＰＣ３とを備えている。なお、運転スイッチＳＷの操作部１２（図６参照）はハウジング２０（図６参照）の前面側に設けられている。
【００２９】
モータ制御回路１の動作について説明する。運転スイッチＳＷが１回だけ操作されるとカウンタ１１の出力信号ＡＵＴＯが”Ｈ”レベルになるので、発光ダイオードＬＥＤ１が点灯する。ここに、発光ダイオードＬＥＤ１が点灯することによりファンＦの運転モードが自動モードであることが表示される。その後、運転スイッチＳＷが操作されると、カウンタ１１の出力信号ＬＯＷが”Ｈ”レベルになるので、発光ダイオードＬＥＤ２が点灯するとともにフォトカプラＰＣ１がオンしてトライアックＴＲＣ１がオンし、モータＭが低速で回転する（つまり、ファンＦが低速で回転される）。ここに、発光ダイオードＬＥＤ２が点灯することによりファンＦの運転モードが低速モードであることが表示される。更にその後、運転スイッチＳＷが操作されると、カウンタ１１の出力信号ＭＩＤが”Ｈ”レベルになるので、発光ダイオードＬＥＤ３が点灯するとともにフォトカプラＰＣ２がオンしてトライアックＴＲＣ２がオンし、モータＭが中速で回転する（つまり、ファンＦが中速で回転する）。ここに、発光ダイオードＬＥＤ３が点灯することによりファンＦの運転モードが中速モードであることが表示される。次に、運転スイッチＳＷが操作されると、カウンタ１１の出力信号ＨＩＧＨが”Ｈ”レベルになるので、発光ダイオードＬＥＤ４が点灯するとともにフォトカプラＰＣ３がオンしてトライアックＴＲＣ３がオンし、モータＭが高速で回転する（つまり、ファンＦが高速で回転する）。ここに、発光ダイオードＬＥＤ４が点灯することによりファンＦの運転モードが高速モードであることが表示される。続いて、運転スイッチＳＷが操作されると、カウンタ１１の出力信号ＯＦＦ信号が”Ｈ”レベルになるとともに、他の出力信号ＡＵＴＯ，ＬＯＷ，ＭＩＤ，ＨＩＧＨが全て”Ｌ”レベルになるので、モータＭの回転が停止する（つまり、ファンＦの回転が停止する）。
【００３０】
次に、制御回路５について説明する。
【００３１】
制御回路５は、図４に示すように、人感センサ４の出力がアナログスイッチＡＳ１とインバータＩＮＶ１とを介して入力される２つのタイマ回路５１，５２を備えている。ここにおいて、アナログスイッチＡＳ１は、図３に示すモータ制御回路１のカウンタ１１の出力信号ＡＵＴＯが”Ｈ”レベルのときにオンし、”Ｌ”レベルのときにオフする。また、各タイマ回路５１，５２は、人感センサ４による人体検知出力が入力されるとそれぞれ出力信号Ｏ１，Ｏ３を規定時間Ｔ１，Ｔ１’（本実施形態ではＴ１’＝Ｔ１としてある）だけ”Ｈ”レベルにし、規定時間Ｔ１，Ｔ１’経過後に出力信号Ｏ１，Ｏ３を”Ｌ”レベルにするとともに出力信号Ｏ２，Ｏ４を”Ｈ”レベルにするように構成されている。ただし、人感センサ４は人のわずかな動きを検出して出力を連続的に得るようにしてあり、各タイマ回路５１，５２は上記規定時間Ｔ１，Ｔ１’のカウント中（タイマアップする前）に人感センサ４による人体検知出力が再入力されるとカウントをリセットして上記規定時間Ｔ１，Ｔ１’のカウントを再び開始するようになっている（リトリガー方式）。したがって、各タイマ回路５１，５２は、人感センサ４により人の動きが検知されなくなると、上記規定時間Ｔ１，Ｔ１’後に、出力信号Ｏ１，Ｏ３が”Ｌ”レベル、出力信号Ｏ２，Ｏ４が”Ｈ”レベルになる。ここにおいて、タイマ回路５１の出力信号Ｏ１は図３に示すモータ制御回路１の端子ＬＯに入力される。なお、タイマ回路５１，５２はリトリガー方式を採用していなくてもよい。
【００３２】
また、制御回路５には、タイマ回路５２の出力信号Ｏ４が一方の入力端に入力され他方の入力端に図２に示す信号処理回路３（汚れ検知部２）の出力信号ＯＨ，ＯＭ，ＯＬがそれぞれ入力されるＡＮＤ素子ＡＮ４０，ＡＮ４１，ＡＮ４２と、各ＡＮＤ素子ＡＮ４０，ＡＮ４１，ＡＮ４２の出力端にそれぞれ接続された遅延タイマ回路５３，５４，５５とを備えており、各遅延タイマ回路５３，５４，５５の出力信号がそれぞれ図３に示すモータ制御回路１の端子ＨＩ，ＭＩ，ＬＯに入力されるようになっている。ここにおいて、各遅延タイマ回路５３，５４，５５はそれぞれ、ＡＮＤ素子ＡＮ４０，ＡＮ４１，ＡＮ４２の出力信号が”Ｈ”レベルになると遅延時間Ｔ２，Ｔ２’，Ｔ２”（本実施形態では、Ｔ２＝Ｔ２’＝Ｔ２”としてある）だけ遅れて出力信号を”Ｈ”レベルにする。
【００３３】
自動モードの時の動作をまとめると、図５のようになる。ここに、図５の（ａ）は人感センサ４の検知状態、（ｂ）はダストセンサ２ａの検知状態、（ｃ）はガスセンサ２ｂの検知状態、（ｄ）はファンＦの動作状態を、それぞれ示している。なお、図５に示す例では、図５（ｃ）に示すガスセンサ２ｂの出力信号が図２に示す第２の閾値設定部３２で設定されるいずれの閾値も越えなていない。
【００３４】
まず、図５（ａ）に示すように時刻ｔ１において人感センサ４により人の動きが検知されると、制御回路５のタイマ回路５１の出力信号Ｏ１が”Ｈ”レベルになるので、モータ制御回路１のフォトカプラＰＣ１がオンしてトライアックＴＲＣ１がオンしモータＭが低速回転することで２つのファンＦの低速回転が開始される（図５（ｄ）参照）。その後、図５（ａ）に示すように時刻ｔ２で人の動きが検知されなくなった後にファンＦは停止される。そして、上記時刻ｔ２で人の動きが検知されなくなってから上記規定時間Ｔ１が経過した後に制御回路５のタイマ回路５２の出力信号Ｏ４が”Ｈ”レベルになり（図示せず）、図５（ｂ）に示すように時刻ｔ３にてダストセンサ２ａの出力信号が図２に示す第１の閾値設定部３１の抵抗Ｒ３と抵抗Ｒ４との接続点の電位で決まる閾値を越えると、汚れ検知部２の出力信号ＯＨ，ＯＭ，ＯＬがそれぞれ”Ｌ”レベル，”Ｌ”レベル，”Ｈ”レベルになるので、図４に示す制御回路５の各ＡＮＤ素子ＡＮ４０，ＡＮ４１，ＡＮ４２の出力信号が”Ｌ”レベル，”Ｌ”レベル，”Ｈ”レベルとなって、ＡＮＤ素子ＡＮ４２から”Ｈ”レベルの出力信号が遅延タイマ回路５５に入力され遅延時間Ｔ２だけ遅れてモータ制御回路１の端子ＬＯが”Ｈ”レベルになり、ファンＦの低速回転が開始される（図５（ｄ）参照）。
【００３５】
しかして、本実施形態の空気清浄器を例えば寝室や書斎などの静けさが必要な部屋に設置し、運転スイッチＳＷにより自動モードを選択している場合に、人感センサ４によって人の動きが検知されないような状態（例えば就寝時や着座時など）において、ファンＦを駆動する必要のない一過性の汚れやノイズによる検知出力が汚れ検知部２から発生したときにファンＦが直ちに駆動されるのを防止することができる。
【００３６】
（実施形態２）
本実施形態の空気清浄器は、図１０に示すように、ハウジング２０の前面側に、周囲の明るさの基準値に対する明／暗に応じた２値出力が得られる明暗センサ６が設けられている。ここに明暗センサ６は検出した明るさと基準値との大小関係により２値出力を発生するセンサである。また、本実施形態における空気清浄器では、ハウジング２０の下面側、前面側それぞれに空気吸込部２８ａ，２８ｂが設けられ、ハウジング２０の上面側に空気吹出部２９が設けられている。なお、実施形態１と同様の構成要素には同一の符号を付して説明を省略する。
【００３７】
本実施形態の空気清浄器の基本回路構成は実施形態１と略同じであって、実施形態１における人感センサ４，制御回路５の代わりに、図１１に示すような明暗センサ６，制御回路５’を採用している点が相違するだけなので、実施形態１と同様の構成要素については図示および説明を省略する。
【００３８】
以下、制御回路５’について説明する。
【００３９】
制御回路５’は、図１１に示すように、明暗センサ６の出力がアナログスイッチＡＳ１１とインバータＩＮＶ１１と微分回路５６とを介して入力されるタイマ回路５７を備えている。ここにおいて、アナログスイッチＡＳ１１は、図３に示すモータ制御回路１のカウンタ１１の出力信号ＡＵＴＯが”Ｈ”レベルのときにオンし、”Ｌ”レベルのときにオフする。また、タイマ回路５７は、明暗センサ６による出力が”Ｈ”レベル（明るいレベル）から”Ｌ”レベル（暗いレベル）に変化したときに微分回路５６から出力される信号が入力されると、出力信号Ｏ１３を規定時間Ｔ１だけ”Ｈ”レベルにし、規定時間Ｔ１経過後に出力信号Ｏ１３を”Ｌ”レベルにするとともに出力信号Ｏ１４を”Ｈ”レベルにするように構成されている。
【００４０】
また、制御回路５’には、タイマ回路５７の出力信号Ｏ１４が一方の入力端に入力され他方の入力端に図２に示す信号処理回路３（汚れ検知部２）の出力信号ＯＨ，ＯＭ，ＯＬがそれぞれ入力されるＡＮＤ素子ＡＮ４０，ＡＮ４１，ＡＮ４２と、各ＡＮＤ素子ＡＮ４０，ＡＮ４１，ＡＮ４２の出力端にそれぞれ接続された遅延タイマ回路５３，５４，５５とを備えており、各遅延タイマ回路５３，５４，５５の出力信号がそれぞれ図３に示すモータ制御回路１の端子ＨＩ，ＭＩ，ＬＯに入力されるようになっている。ここにおいて、各遅延タイマ回路５３，５４，５５はそれぞれ、ＡＮＤ素子ＡＮ４０，ＡＮ４１，ＡＮ４２の出力信号が”Ｈ”レベルになると遅延時間Ｔ２，Ｔ２’，Ｔ２”（本実施形態ではＴ２＝Ｔ２’＝Ｔ２）だけ遅れて出力信号を”Ｈ”レベルにする。
【００４１】
自動モードの時の動作をまとめると、図１２のようになる。ここに、図１２の（ａ）は明暗センサ６の検知状態、（ｂ）はダストセンサ２ａの検知状態、（ｃ）はガスセンサ２ｂの検知状態、（ｄ）はファンＦの動作状態を、それぞれ示している。なお、図１２に示す例では、図１２（ｃ）に示すガスセンサ２ｂの出力信号が図２に示す閾値設定部３２で設定されるいずれの閾値も越えていない。
【００４２】
まず、図１２（ａ）に示すように時刻ｔ１１において明暗センサ６の出力信号が”Ｈ”レベル（「明」）から”Ｌ”レベル（「暗」）に変化したときに微分回路５６から出力される信号がタイマ回路５７に入力されると、タイマ回路５７の出力信号Ｏ１３が”Ｈ”レベルになり、規定時間Ｔ１が経過した後にタイマ回路５７の出力信号Ｏ１４が”Ｈ”レベルになり、図１２（ｂ）に示すように時刻ｔ１２にてダストセンサ２ａの出力信号が図２に示す第１の閾値設定部３１の抵抗Ｒ３と抵抗Ｒ４との接続点の電位で決まる閾値を越えると、汚れ検知部２の出力信号ＯＨ，ＯＭ，ＯＬがそれぞれ”Ｌ”レベル，”Ｌ”レベル，”Ｈ”レベルになるので、図１１に示す制御回路５’の各ＡＮＤ素子ＡＮ４０，ＡＮ４１，ＡＮ４２の出力信号が”Ｌ”レベル，”Ｌ”レベル，”Ｈ”レベルとなって、ＡＮＤ素子ＡＮ４２から”Ｈ”レベルの出力信号が遅延タイマ回路５５に入力され遅延時間Ｔ２だけ遅れてモータ制御回路１の端子ＬＯが”Ｈ”レベルになり、ファンＦの低速回転が開始される（図１２（ｄ）参照）。
【００４３】
しかして、本実施形態の空気清浄器を例えば寝室などの静けさが必要な部屋に設置し、運転スイッチＳＷにより自動モードを選択している場合に、部屋を暗くした後にファンＦを駆動する必要のない一過性の汚れやノイズによる検知出力が汚れ検知部２から発生したときにファンＦが直ちに駆動されるのを防止することができる。
【００４４】
（実施形態３）
本実施形態の空気清浄器の基本構成は実施形態１と略同じであって、図１３に示すように、制御回路５における各遅延タイマ回路５３〜５５の出力信号がモータ制御回路１の端子ＬＯに入力されるように構成されている点に特徴がある。なお、その他の構成については実施形態１と同じなので図示および説明を省略する。
【００４５】
自動モードの時の動作をまとめると、図１４のようになる。ここに、図１４の（ａ）は人感センサ４の検知状態、（ｂ）はダストセンサ２ａの検知状態、（ｃ）はガスセンサ２ｂの検知状態、（ｄ）はファンＦの動作状態を、それぞれ示している。なお、図１４に示す例では、図１４（ｃ）に示すガスセンサ２ｂの出力信号が図２に示す第２の閾値設定部３２で設定されるいずれの閾値も越えなていない。
【００４６】
まず、図１４（ａ）に示すように時刻ｔ１において人感センサ４により人の動きが検知されると、制御回路５のタイマ回路５１の出力信号Ｏ１が”Ｈ”レベルになるので、ファン制御回路１のフォトカプラＰＣ１がオンしてトライアックＴＲＣ１がオンしモータＭが低速回転することで２つのファンＦの低速回転が開始される（図１４（ｄ）参照）。その後、図１４（ａ）に示すように時刻ｔ２で人の動きが検知されなくなった後にファンＦは停止される。そして上記時刻ｔ２で人の動きが検知されなくなってから上記規定時間Ｔ１が経過した後に制御回路５のタイマ回路５２の出力信号Ｏ４が”Ｈ”レベルになり（図示せず）、図５（ｂ）に示すように時刻ｔ３にてダストセンサ２ａの出力信号が図２に示す第１の閾値設定部３１の抵抗Ｒ３と抵抗Ｒ４との接続点の電位で決まる閾値ＴｈＬを越えると、汚れ検知部２の出力信号ＯＨ，ＯＭ，ＯＬがそれぞれ”Ｌ”レベル，”Ｌ”レベル，”Ｈ”レベルになるので、図１３に示す制御回路５の各ＡＮＤ素子ＡＮ４０，ＡＮ４１，ＡＮ４２の出力信号が”Ｌ”レベル，”Ｌ”レベル，”Ｈ”レベルとなるから、ＡＮＤ素子ＡＮ４２から”Ｈ”レベルの出力信号が遅延タイマ回路５５に入力され遅延時間Ｔ２だけ遅れてファン制御回路１の端子ＬＯが”Ｈ”レベルになり、ファンＦの低速回転が開始される（図１４（ｄ）参照）。その後、図１４（ｂ）に示すようにダストセンサ２ａの出力信号が上昇して図２に示す第１の閾値設定部３１の抵抗Ｒ２と抵抗Ｒ３との接続点の電位で決まる閾値ＴｈＭを越えると、汚れ検知部２の出力信号ＯＨ，ＯＭ，ＯＬがそれぞれ”Ｌ”レベル，”Ｈ”レベル，”Ｌ”レベルになるので、図１３に示す制御回路５の各ＡＮＤ素子ＡＮ４０，ＡＮ４１，ＡＮ４２の出力信号が”Ｌ”レベル，”Ｈ”レベル，”Ｌ”レベルとなって、ＡＮＤ素子ＡＮ４１から”Ｈ”レベルの出力信号が遅延タイマ回路５４に入力され遅延時間Ｔ２だけ遅れて遅延回路５４から”Ｈ”レベルの出力信号が出力される。また、ダストセンサ２ａの出力信号が上昇して図２に示す閾値設定部３１の抵抗Ｒ１と抵抗Ｒ２との接続点の電位で決まる閾値ＴｈＨを越えると、汚れ検知部２の出力信号ＯＨ，ＯＭ，ＯＬがそれぞれ”Ｈ”レベル，”Ｌ”レベル，”Ｌ”レベルになるので、図１３に示す制御回路５の各ＡＮＤ素子ＡＮ４０，ＡＮ４１，ＡＮ４２の出力信号が”Ｈ”レベル，”Ｌ”レベル，”Ｌ”レベルとなって、ＡＮＤ素子ＡＮ４０から”Ｈ”レベルの出力信号が遅延タイマ回路５３に入力され遅延時間Ｔ２だけ遅れて遅延回路５３から”Ｈ”レベルの出力信号が出力される。
【００４７】
しかして、本実施形態の空気清浄器を例えば寝室や書斎などの静けさが必要な部屋に設置し、運転スイッチＳＷにより自動モードを選択している状態において、人感センサ４により人の動きが検知されなくなって一定時間が経過した後に汚れ検知部２の出力信号ＯＨ，ＯＭ，ＯＬのいずれかが”Ｈ”レベルになった場合には遅延タイマ回路５３〜５５の遅延時間Ｔ２が経過した後にファンＦが低速回転される。すなわち、ファンＦは汚れ検知部２の出力信号ＯＨ，ＯＭ，ＯＬのうちのどれが”Ｈ”レベルであるかに関わらず低速回転される。
【００４８】
（実施形態４）
本実施形態の空気清浄器の基本構成は実施形態２と略同じであって、図１５に示すように、制御回路５’における各遅延タイマ回路５３〜５５の出力信号がモータ制御回路１の端子ＬＯに入力されるように構成されている点に特徴がある。なお、その他の構成については実施形態２と同じなので図示および説明を省略する。
【００４９】
自動モードの時の動作をまとめると、図１６のようになる。ここに、図１６の（ａ）は明暗センサ６の検知状態、（ｂ）はダストセンサ２ａの検知状態、（ｃ）はガスセンサ２ｂの検知状態、（ｄ）はファンＦの動作状態を、それぞれ示している。なお、図１６に示す例では、図１６（ｃ）に示すガスセンサ２ｂの出力信号が図２に示す第２の閾値設定部３２で設定されるいずれの閾値も越えなていない。
【００５０】
まず、図１６（ａ）に示すように時刻ｔ１１において明暗センサ６の出力信号が”Ｈ”レベル（「明」）から”Ｌ”レベル（「暗」）に変化したときに微分回路５６から出力される信号がタイマ回路５７に入力されると、タイマ回路５７の出力信号Ｏ１３が”Ｈ”レベルになり（図示せず）、規定時間Ｔ１が経過した後にタイマ回路５７の出力信号Ｏ１４が”Ｈ”レベルになり（図示せず）、図１６（ｂ）に示すように時刻ｔ１２にてダストセンサ２ａの出力信号が図２に示す第１の閾値設定部３１の抵抗Ｒ３と抵抗Ｒ４との接続点の電位で決まる閾値ＴｈＬを越えると、汚れ検知部２の出力信号ＯＨ，ＯＭ，ＯＬがそれぞれ”Ｌ”レベル，”Ｌ”レベル，”Ｈ”レベルになるので、図１５に示す制御回路５’の各ＡＮＤ素子ＡＮ４０，ＡＮ４１，ＡＮ４２の出力信号が”Ｌ”レベル，”Ｌ”レベル，”Ｈ”レベルとなって、ＡＮＤ素子ＡＮ４２から”Ｈ”レベルの出力信号が遅延タイマ回路５５に入力され遅延時間Ｔ２だけ遅れてファン制御回路１の端子ＬＯが”Ｈ”レベルになり、ファンＦの低速回転が開始される（図１６（ｄ）参照）。その後、図１６（ｂ）に示すようにダストセンサ２ａの出力信号が上昇して図２に示す閾値設定部３１の抵抗Ｒ２と抵抗Ｒ３との接続点の電位で決まる閾値ＴｈＭを越えると、汚れ検知部２の出力信号ＯＨ，ＯＭ，ＯＬがそれぞれ”Ｌ”レベル，”Ｈ”レベル，”Ｌ”レベルになるので、図１５に示す制御回路５’の各ＡＮＤ素子ＡＮ４０，ＡＮ４１，ＡＮ４２の出力信号が”Ｌ”レベル，”Ｈ”レベル，”Ｌ”レベルとなって、ＡＮＤ素子ＡＮ４１から”Ｈ”レベルの出力信号が遅延タイマ回路５４に入力され遅延時間Ｔ２だけ遅れて遅延回路５４から”Ｈ”レベルの出力信号が出力される。また、図１６に示すようにダストセンサ２ａの出力信号がさらに上昇して図２に示す第１の閾値設定部３１の抵抗Ｒ１と抵抗Ｒ２との接続点の電位で決まる閾値ＴｈＨを越えると、汚れ検知部２の出力信号ＯＨ，ＯＭ，ＯＬがそれぞれ”Ｈ”レベル，”Ｌ”レベル，”Ｌ”レベルになるので、図１５に示す制御回路５’の各ＡＮＤ素子ＡＮ４０，ＡＮ４１，ＡＮ４２の出力信号が”Ｈ”レベル，”Ｌ”レベル，”Ｌ”レベルとなって、ＡＮＤ素子ＡＮ４０から”Ｈ”レベルの出力信号が遅延タイマ回路５３に入力され遅延時間Ｔ２だけ遅れて遅延回路５３から”Ｈ”レベルの出力信号が出力される。
【００５１】
しかして、本実施形態の空気清浄器を例えば寝室などの静けさが必要な部屋に設置し、運転スイッチＳＷにより自動モードを選択している状態において、部屋を暗くして一定時間が経過した後に汚れ検知部２の出力信号ＯＨ，ＯＭ，ＯＬのいずれかが”Ｈ”レベルになった場合には遅延タイマ回路５３〜５５の遅延時間Ｔ２が経過した後にファンＦが低速回転される。すなわち、ファンＦは汚れ検知部２の出力信号ＯＨ，ＯＭ，ＯＬのうちのどれが”Ｈ”レベルであるかに関わらず低速回転される。
【００５２】
（実施形態５）
本実施形態の空気清浄器の基本構成は実施形態１と略同じであって、制御回路５の回路構成が異なるだけであり、その他の構成については実施形態１と同じなので実施形態１と同じ構成要素についての図示および説明は省略する。
【００５３】
本実施形態における制御回路５は、図１７に示すように、人感センサ４の出力がアナログスイッチＡＳ１とインバータＩＮＶ１とを介して入力される２つのタイマ回路５１，５２を備えている。ここにおいて、アナログスイッチＡＳ１は、図３に示すモータ制御回路１のカウンタ１１の出力信号ＡＵＴＯが”Ｈ”レベルのときにオンし、”Ｌ”レベルのときにオフする。また、各タイマ回路５１，５２は、人感センサ４による人体検知出力が入力されるとそれぞれ出力信号Ｏ１，Ｏ３を規定時間Ｔ１，Ｔ１’（本実施形態では実施形態１と同様にＴ１＝Ｔ１’としてある）だけ”Ｈ”レベルにし、規定時間Ｔ１経過後に出力信号Ｏ１，Ｏ３を”Ｌ”レベルにするとともに出力信号Ｏ２，Ｏ４を”Ｈ”レベルにするように構成されている。ただし、人感センサ４は人のわずかな動きを検出して出力を連続的に得るようにしてあり、各タイマ回路５１，５２は上記規定時間Ｔ１のカウント中に人感センサ４による人体検知出力が再入力されるとカウントをリセットして上記規定時間Ｔ１のカウントを再び開始するようになっている。したがって、各タイマ回路５１，５２は、人感センサ４により人の動きが検知されなくなると、上記規定時間Ｔ１後に、出力信号Ｏ１，Ｏ３が”Ｌ”レベル、出力信号Ｏ２，Ｏ４が”Ｈ”レベルになる。ここにおいて、各タイマ回路５１，５２それぞれの出力信号Ｏ１，Ｏ３は図３に示すモータ制御回路１の端子ＬＯに入力される。
【００５４】
また、制御回路５には、汚れ検知部２の出力信号ＯＨ，ＯＭ，ＯＬが入力されるＯＲ素子Ｏｒ６４と、タイマ回路５２の出力信号Ｏ４が一方の入力端に入力され他方の入力端にＯＲ素子Ｏｒ６４の出力信号が入力されるＡＮＤ素子ＡＮ６３と、ＡＮＤ素子ＡＮ６３の出力信号が入力される微分回路５８と、微分回路５８の出力信号が入力されるタイマ回路５９と、タイマ回路５９の出力信号Ｏ２６が一方の入力端に入力され他方の入力端に図２に示す信号処理回路３（汚れ検知部２）の出力信号ＯＨ，ＯＭ，ＯＬがそれぞれ入力されるＡＮＤ素子ＡＮ６０，ＡＮ６１，ＡＮ６２とを備えており、各ＡＮＤ素子ＡＮ６０，ＡＮ６１，ＡＮ６２の出力信号がそれぞれ図３に示すモータ制御回路１の端子ＨＩ，ＭＩ，ＬＯに入力されるようになっている。ここにおいて、タイマ回路５９は、ＡＮＤ素子６３の出力信号が”Ｌ”レベルから”Ｈ”レベルに変化したときに微分回路５８から出力される信号が入力されると、出力信号Ｏ２５を一定時間Ｔ３だけ”Ｈ”レベルにし、一定時間Ｔ３経過後に出力信号Ｏ２５を”Ｌ”レベルにするとともに出力信号Ｏ２６を”Ｈ”レベルにするように構成されている。
【００５５】
自動モードの時の動作をまとめると、図１８のようになる。ここに、図１８の（ａ）は人感センサ４の検知状態、（ｂ）はダストセンサ２ａの検知状態、（ｃ）はガスセンサ２ｂの検知状態、（ｄ）はファンＦの動作状態を、それぞれ示している。なお、図１８に示す例では、図１８（ｃ）に示すガスセンサ２ｂの出力信号が図２に示す第２の閾値設定部３２で設定されるいずれの閾値も越えなていない。
【００５６】
まず、図１８（ａ）に示すように時刻ｔ１において人感センサ４により人の動きが検知されると、制御回路５のタイマ回路５１の出力信号Ｏ１が”Ｈ”レベルになるので、モータ制御回路１のフォトカプラＰＣ１がオンしてトライアックＴＲＣ１がオンしモータＭが低速回転することで２つのファンＦの低速回転が開始される（図１８（ｄ）参照）。その後、図１８（ｂ）に示すように時刻ｔ２で人の動きが検知されなくなると、上記規定時間Ｔ１が経過した後に制御回路５のタイマ回路５２，５３の出力信号Ｏ２，Ｏ４が”Ｈ”レベルになり（図示せず）、図１８（ｃ）に示すように時刻ｔ３にてダストセンサ２ａの出力信号が図２に示す第１の閾値設定部３１の抵抗Ｒ３と抵抗Ｒ４との接続点の電位で決まる閾値ＴｈＬを越えると、汚れ検知部２の出力信号ＯＨ，ＯＭ，ＯＬがそれぞれ”Ｌ”レベル，”Ｌ”レベル，”Ｈ”レベルになる。すると、図１７に示す制御回路５のＯＲ素子Ｏｒ６４の出力信号が”Ｈ”レベルになって、ＡＮＤ素子ＡＮ６３の出力信号が”Ｈ”レベルになり、タイマ回路５９は、ＡＮＤ素子ＡＮ６３の出力信号が”Ｌ”レベルから”Ｈ”レベルに変化したときに微分回路５８から出力される信号が入力されると、出力信号Ｏ２５を一定時間Ｔ３だけ”Ｈ”レベルにするので、モータ制御回路１のフォトカプラＰＣ１がオンしてトライアックＴＲＣ１がオンしモータＭが低速回転することで２つのファンＦの低速回転が開始される（図１８（ｄ）参照）。そして上記一定時間Ｔ３経過後に出力信号Ｏ２６が”Ｈ”レベルになるので、以後は汚れ検知部２の出力信号ＯＨ，ＯＭ，ＯＬに基づいてファンＦの回転が行われる。要するに、例えば、汚れ検知部２の出力信号ＯＨ，ＯＭ，ＯＬがそれぞれ”Ｌ”レベル，”Ｈ”レベル，”Ｌ”レベルになれば、ファンＦの回転速度が中速へ変化し、また、汚れ検知部２の出力信号ＯＨ，ＯＭ，ＯＬがそれぞれ”Ｈ”レベル，”Ｌ”レベル，”Ｌ”レベルになれば、ファンＦの回転速度が高速へ変化する。
【００５７】
しかして、本実施形態の空気清浄器を例えば寝室や書斎などの静けさが必要な部屋に設置し、運転スイッチＳＷにより自動モードを選択している状態において、人感センサ４により人の動きが検知されなくなって一定時間が経過した後に汚れ検知部２の出力信号ＯＨ，ＯＭ，ＯＬのいずれかが”Ｈ”レベルになった場合でもタイマ回路５９の出力信号Ｏ２５が”Ｈ”レベルから”Ｌ”レベルになるまではファンＦが低速回転される。すなわち、ファンＦは汚れ検知部２の出力信号ＯＨ，ＯＭ，ＯＬのうちのどれが”Ｈ”レベルであるかに関わらず低速回転される。
【００５８】
（実施形態６）
本実施形態の空気清浄器の基本構成は実施形態２と略同じであって、制御回路５’の回路構成が異なるだけであり、その他の構成については実施形態２と同じなので実施形態２と同じ構成要素についての図示および説明は省略する。
【００５９】
本実施形態における制御回路５’は、図１９に示すように、明暗センサ６の出力がアナログスイッチＡＳ１１とインバータＩＮＶ１１と微分回路５６とを介して入力されるタイマ回路５７を備えている。ここにおいて、アナログスイッチＡＳ１１は、図３に示すモータ制御回路１のカウンタ１１の出力信号ＡＵＴＯが”Ｈ”レベルのときにオンし、”Ｌ”レベルのときにオフする。また、タイマ回路５７は、明暗センサ６の出力が”Ｈ”レベル（明るいレベル）から”Ｌ”レベル（暗いレベル）に変化したときに微分回路５６から出力サれる信号が入力されると、出力信号Ｏ１３を規定時間Ｔ１だけ”Ｈ”レベルにし、規定時間Ｔ１経過後に出力信号Ｏ１３を”Ｌ”レベルにするとともに出力信号Ｏ１４を”Ｈ”レベルにするように構成されている。
【００６０】
また、制御回路５’には、汚れ検知部２の出力信号ＯＨ，ＯＭ，ＯＬが入力されるＯＲ素子Ｏｒ６４と、タイマ回路５７の出力信号Ｏ１４が一方の入力端に入力され他方の入力端にＯＲ素子Ｏｒ６４の出力信号が入力されるＡＮＤ素子ＡＮ６３と、ＡＮＤ素子ＡＮ６３の出力信号が入力される微分回路５８と、微分回路５８の出力信号が入力されるタイマ回路５９と、タイマ回路５９の出力信号Ｏ２６が一方の入力端に入力され他方の入力端に図２に示す信号処理回路３（汚れ検知部２）の出力信号ＯＨ，ＯＭ，ＯＬがそれぞれ入力されるＡＮＤ素子ＡＮ６０，ＡＮ６１，ＡＮ６２とを備えており、各ＡＮＤ素子ＡＮ６０，ＡＮ６１，ＡＮ６２の出力信号がそれぞれ図３に示すモータ制御回路１の端子ＨＩ，ＭＩ，ＬＯに入力されるようになっている。ここにおいて、タイマ回路５９は、ＡＮＤ素子６３の出力信号が”Ｌ”レベルから”Ｈ”レベルに変化したときに微分回路５８から出力される信号が入力されると、出力信号Ｏ２５を一定時間Ｔ３だけ”Ｈ”レベルにし、一定時間Ｔ３経過後に出力信号Ｏ２５を”Ｌ”レベルにするとともに出力信号Ｏ２６を”Ｈ”レベルにするように構成されている。また、タイマ回路５９の出力信号Ｏ２５はモータ制御回路１の端子Ｌ０に入力されるようになっている。
【００６１】
自動モードの時の動作をまとめると、図２０のようになる。ここに、図２０の（ａ）は明暗センサ６の検知状態、（ｂ）はダストセンサ２ａの検知状態、（ｃ）はガスセンサ２ｂの検知状態、（ｄ）はファンＦの動作状態を、それぞれ示している。なお、図２０に示す例では、図２０（ｃ）に示すガスセンサ２ｂの出力信号が図２に示す第２の閾値設定部３２で設定されるいずれの閾値も越えなていない。
【００６２】
まず、図２０（ａ）に示すように時刻ｔ１１において明暗センサ６の出力信号が”Ｈ”レベル（「明」）から”Ｌ”レベル（「暗」）に変化したときに微分回路５６から出力される信号がタイマ回路５７に入力されると、タイマ回路５７の出力信号Ｏ１３が”Ｈ”レベルになり（図示せず）、規定時間Ｔ１が経過した後にタイマ回路５７の出力信号Ｏ１４が”Ｈ”レベルになる（図示せず）。その後、図２０（ｂ）に示すように時刻ｔ１２においてダストセンサ２ａの出力信号が図２に示す第１の閾値設定部３１の抵抗Ｒ３と抵抗Ｒ４との接続点の電位で決まる閾値ＴｈＬを越えると、汚れ検知部２の出力信号ＯＨ，ＯＭ，ＯＬがそれぞれ”Ｌ”レベル，”Ｌ”レベル，”Ｈ”レベルになる。すると、図１９に示す制御回路５’のＯＲ素子Ｏｒ６４の出力信号が”Ｈ”レベルになって、ＡＮＤ素子ＡＮ６３の出力信号が”Ｈ”レベルになり、タイマ回路５９は、ＡＮＤ素子ＡＮ６３の出力信号が”Ｌ”レベルから”Ｈ”レベルに変化したときに微分回路５８から出力される信号が入力されると、出力信号Ｏ２５を一定時間Ｔ３だけ”Ｈ”レベルにするので、モータ制御回路１のフォトカプラＰＣ１がオンしてトライアックＴＲＣ１がオンしモータＭが低速回転することで２つのファンＦの低速回転が開始される（図２０（ｄ）参照）。そして上記一定時間Ｔ３経過後に出力信号Ｏ２６が”Ｈ”レベルになるので、以後は汚れ検知部２の出力信号ＯＨ，ＯＭ，ＯＬに基づいてファンＦの回転が行われる。要するに、例えば、汚れ検知部２の出力信号ＯＨ，ＯＭ，ＯＬがそれぞれ”Ｌ”レベル，”Ｈ”レベル，”Ｌ”レベルになれば、ファンＦの回転速度が中速へ変化し、また、汚れ検知部２の出力信号ＯＨ，ＯＭ，ＯＬがそれぞれ”Ｈ”レベル，”Ｌ”レベル，”Ｌ”レベルになれば、ファンＦの回転速度が高速へ変化する。
【００６３】
しかして、本実施形態の空気清浄器を例えば寝室などの静けさが必要な部屋に設置し、運転スイッチＳＷにより自動モードを選択している状態において、部屋を暗くし上記一定時間Ｔ１が経過した後に汚れ検知部２の出力信号ＯＨ，ＯＭ，ＯＬのいずれかが”Ｈ”レベルになった場合でもタイマ回路２５の出力信号Ｏ２５が”Ｈ”レベルから”Ｌ”レベルになるまではファンＦが低速回転される。すなわち、ファンＦは汚れ検知部２の出力信号ＯＨ，ＯＭ，ＯＬのうちのどれが”Ｈ”レベルであるかに関わらず低速回転される。
【００６４】
なお、上記各実施形態では、ファンＦの回転速度を３段階で切り替えることができるものについて説明したが、４段階以上で切り換えることができるものであってもよい。
【００６５】
【発明の効果】
請求項１の発明は、ハウジング内に配設され外部の空気を吸い込ませて吹き出させるファンを駆動するファン駆動装置と、ハウジング内に吸い込まれた空気を浄化する空気浄化手段と、空気の汚れに応じた検知出力が得られる汚れ検知部と、検知エリア内の人の動きを検知する人感センサと、人感センサにより人の動きが検知されなくなって規定時間が経過した後に汚れ検知部から検知出力が入力されると所定の遅延時間だけ遅れてファンが駆動されるようにファン駆動装置を制御する制御手段とを備えているので、人感センサによって人の動きが検知されないような状態において、ファンを駆動する必要のない一過性の汚れやノイズによる検知出力が汚れ検知部から発生した場合に直ちにファンが駆動されるのを防止することができるという効果がある。
【００６６】
請求項３の発明は、請求項２の発明において、ファン駆動装置はファンの回転速度を少なくとも低速モード、中速モード、高速モードの３段階で切り換え可能であって、制御手段は上記遅延時間だけ遅れてファン駆動装置を制御するときにファンが低速モードで駆動されるようにファン駆動装置を制御するので、寝室や書斎などの静けさが必要な部屋で使用している状態において、ファンを駆動する必要のない一過性の汚れやノイズによる検知出力が汚れ検知部から発生した場合に直ちにファンが駆動されるのを防止することができ、静けさを保つことができるという効果がある。
【００６７】
請求項４の発明は、請求項３の発明において、制御手段は、上記遅延時間だけ遅れてファンが低速モードで駆動されるようにファン駆動装置を制御した後、該低速モードが一定時間維持されるようにファン駆動装置を制御するので、より確実に静けさを保つことができるという効果がある。
【００６８】
請求項５の発明は、請求項３の発明において、ファンの回転速度を少なくとも低速モード、中速モード、高速モードの３段階で切り換えて設定するための操作部を備え、制御手段は、操作部により低速モード以外のモードが設定されている場合に上記遅延時間だけ遅れてファン駆動装置を制御するときにファンが一定時間だけ低速モードで駆動されるようにファン駆動装置を制御するので、より確実に静けさを保つことができるという効果がある。
【００６９】
請求項７の発明は、ハウジング内に配設され外部の空気を吸い込ませて吹き出させるファンを駆動するファン駆動装置と、ハウジング内に吸い込まれた空気を浄化する空気浄化手段と、空気の汚れに応じた検知出力が得られる汚れ検知部と、周囲の明るさの基準値に対する明／暗に応じた２値出力が得られる明暗センサと、明暗センサの出力が暗レベルになって規定時間が経過した後であってファンが停止した状態で汚れ検知部から検知出力が入力されると所定の遅延時間だけ遅れてファンが駆動されるようにファン駆動装置を制御する制御手段とを備えているので、周囲が暗くなった後に、ファンを駆動する必要のない一過性の汚れやノイズによる検知出力が汚れ検知部から発生した場合に直ちにファンが駆動されるのを防止することができるという効果がある。
【００７０】
請求項９の発明は、請求項８の発明において、ファン駆動装置はファンの回転速度を少なくとも低速モード、中速モード、高速モードの３段階で切り換え可能であって、制御手段は上記遅延時間だけ遅れてファン駆動装置を制御するときにファンが低速モードで駆動されるようにファン駆動装置を制御するので、寝室や書斎などの静けさが必要な部屋で使用している状態において、ファンを駆動する必要のない一過性の汚れやノイズによる検知出力が汚れ検知部から発生した場合に直ちにファンが駆動されるのを防止することができ、静けさを保つことができるという効果がある。
【００７１】
請求項１０の発明は、請求項９の発明において、制御手段は、上記遅延時間だけ遅れてファンが低速モードで駆動されるようにファン駆動装置を制御した後、該低速モードが一定時間維持されるようにファン駆動装置を制御するので、より確実に静けさを保つことができるという効果がある。
【００７２】
請求項１１の発明は、請求項９の発明において、ファンの回転速度を少なくとも低速モード、中速モード、高速モードの３段階で切り換えて設定するための操作部を備え、制御手段は、操作部により低速モード以外のモードが設定されている場合に上記遅延時間だけ遅れてファン駆動装置を制御するときにファンが一定時間だけ低速モードで駆動されるようにファン駆動装置を制御するので、より確実に静けさを保つことができるという効果がある。
【図面の簡単な説明】
【図１】実施形態１を示す回路ブロック図である。
【図２】同上の汚れ検知部の回路図である。
【図３】同上のモータ制御回路の回路図である。
【図４】同上の制御回路の回路図である。
【図５】同上の動作説明図である。
【図６】同上を示し、（ａ）は正面図、（ｂ）は平面図である。
【図７】同上を示す左側面図である。
【図８】同上を示す右側面図である。
【図９】同上の要部正面図である。
【図１０】実施形態２を示し、（ａ）は正面図、（ｂ）は正面断面図、（ｃ）は側断面図である。
【図１１】同上の要部回路図である。
【図１２】同上の動作説明図である。
【図１３】実施形態３の要部回路図である。
【図１４】同上の動作説明図である。
【図１５】実施形態４の要部回路図である。
【図１６】同上の動作説明図である。
【図１７】実施形態５の要部回路図である。
【図１８】同上の動作説明図である。
【図１９】実施形態６の要部回路図である。
【図２０】同上の動作説明図である。
【符号の説明】
１  ファン制御回路
２  汚れ検知部
２ａ  ダストセンサ
２ｂ  ガスセンサ
３  信号処理回路
４  人感センサ
５  制御回路
【図１】
0003769994.tif 000002
【図２】
0003769994.tif 000003
【図３】
0003769994.tif 000004
【図４】
0003769994.tif 000005
【図５】
0003769994.tif 000006
【図６】
0003769994.tif 000007
【図７】
0003769994.tif 000008
【図８】
0003769994.tif 000009
【図９】
0003769994.tif 000010
【図１０】
0003769994.tif 000011
【図１１】
0003769994.tif 000012
【図１２】
0003769994.tif 000013
【図１３】
0003769994.tif 000014
【図１４】
0003769994.tif 000015
【図１５】
0003769994.tif 000016
【図１６】
0003769994.tif 000017
【図１７】
0003769994.tif 000018
【図１８】
0003769994.tif 000019
【図１９】
0003769994.tif 000020
【図２０】
0003769994.tif 000021